(57)【要約】  紙幣格納装置（１０）は、紙幣収納部（１６）、ピックローラ（１７ａ）、セパレートローラ（１７ｂ）、紙幣後端押し上げ部（１６ｈ）を有する。紙幣収納部（１６）は、紙葉類を底面部（１６ａ）に積層して収納する。ピックローラ（１７ａ）、セパレートローラ（１７ｂ）は、紙幣収納部（１６）に収納された紙葉類の第１の端辺部側に位置し、最下層に位置する紙葉類から順次繰り出す。紙幣後端押し上げ部（１６ｈ）は、紙幣収納部（１６）に収納された紙葉類の第１の端辺部側とは反対側の第２の端辺部側に位置し、紙葉類の重み及び自重に応じた付勢により、紙葉類の第２の端辺部周辺を、底面部（１６ａ）から離して支持する。
2017104082.tif 000002
【特許請求の範囲】
【請求項１】
紙葉類を所定面に積層して収納する収納部と、
前記収納部に収納された紙葉類の第１の端辺部側に位置し、最下層に位置する紙葉類から順次繰り出す紙葉類繰出部と、
前記収納部に収納された紙葉類の第１の端辺部側とは反対側の第２の端辺部側に位置し、該紙葉類の重み及び自重に応じた付勢により、該紙葉類の第２の端辺部周辺を、前記所定面から離して支持する支持部と
を備えることを特徴とする紙葉類格納装置。
【請求項２】
前記支持部は、前記所定面と平行なステージである
ことを特徴とする請求項１に記載の紙葉類格納装置。
【請求項３】
前記支持部は、前記所定面に設けられたフラップである
ことを特徴とする請求項１に記載の紙葉類格納装置。
【請求項４】
前記支持部は、前記所定面に対して垂直な面に設けられたフラップである
ことを特徴とする請求項１に記載の紙葉類格納装置。
【請求項５】
前記支持部は、前記所定面に設けられた第１のフラップ及び前記所定面に対して垂直な面に設けられた第２のフラップを含む
ことを特徴とする請求項１に記載の紙葉類格納装置。
【請求項６】
筐体と、
収容部と、
前記収容部に収容された紙葉類格納装置と
を備え、
前記紙葉類格納装置は、
紙葉類を所定面に積層して収納する収納部と、
前記収納部に収納された紙葉類の第１の端辺部側に位置し、最下層に位置する紙葉類から順次、前記筐体内に繰り出す紙葉類操出部と、
前記収納部に収納された紙葉類の第１の端辺部側とは反対側の第２の端辺部側に位置し、該紙葉類の重み及び自重に応じた付勢により、該紙葉類の第２の端辺部周辺を、前記所定面から離して支持する支持部と
を含むことを特徴とする紙葉類取扱装置。
【発明の詳細な説明】
【技術分野】
【０００１】
本発明は、紙葉類格納装置及び紙葉類取扱装置に関する。
【背景技術】
【０００２】
例えば、現金自動預け払い機（ＡＴＭ：Automatic  Teller  Machine）等の紙幣取扱装置は、紙幣を格納する紙幣格納装置を有する。紙幣格納装置は、例えばサイズが異なる異金種の紙幣を同時に収納し、紙幣をピックアップするピックローラ及びピックアップした紙幣を繰り出す紙送りローラにより、紙幣取扱装置内において紙幣を順次繰り出す（例えば、特許文献１及び２参照）。
【先行技術文献】
【特許文献】
【０００３】
【特許文献１】特開２００２−１６７１０１号公報
【特許文献２】特開平０９−０７７２８８号公報
【発明の概要】
【発明が解決しようとする課題】
【０００４】
しかしながら、上記の従来技術では、次のような要因により、繰り出す紙幣のジャム（紙詰まり）が発生するという問題がある。すなわち、例えば、相対的に小サイズの紙幣をピックアップする際に、紙幣がピックローラに掛からない。また、例えば、相対的に小サイズの紙幣の上に相対的に大サイズの紙幣が存在する場合、小サイズの紙幣をピックローラによりピックアップする際、大サイズの紙幣が重送され、サイズ差により大サイズの紙幣が紙送りローラに先着する。つまり、上記の従来技術では、これらの要因等により、紙葉類格納装置を含む紙葉類取扱装置において、紙幣を含む紙葉類のジャムが発生するという問題がある。【０００５】
開示の技術は、上記に鑑みてなされたものであって、紙葉類のジャムの発生を低減する紙葉類格納装置及び紙葉類取扱装置を提供することを目的とする。
【課題を解決するための手段】
【０００６】
開示の技術の一例では、紙葉類格納装置及び紙葉類取扱装置は、収納部、紙葉類繰出部、支持部を有する。収納部は、紙葉類を所定面に積層して収納する。紙葉類繰出部は、収納部に収納された紙葉類の第１の端辺部側に位置し、最下層に位置する紙葉類から順次繰り出す。支持部は、収納部に収納された紙葉類の第１の端辺部側とは反対側の第２の端辺部側に位置し、紙葉類の重み及び自重に応じた付勢により、紙葉類の第２の端辺部周辺を、所定面から離して支持する。
【発明の効果】
【０００７】
開示の技術の一例によれば、例えば、紙葉類のジャムの発生を低減することができる紙葉類格納装置及び紙葉類取扱装置を提供することができる。
【図面の簡単な説明】
【０００８】
【図１】図１は、実施例に係る紙幣取扱装置の外観を示す斜視図である。
【図２】図２は、実施例に係る紙幣格納装置を含む紙幣取扱装置の概略構成を示す模式図である。
【図３】図３は、実施例に係る紙幣格納装置を示す斜視図である。
【図４Ａ】図４Ａは、図３のＡ方向から見た実施例に係る紙幣格納装置を示す平面図である。
【図４Ｂ】図４Ｂは、図３のＢ方向から見た実施例に係る紙幣格納装置を示す側面図である。
【図４Ｃ】図４Ｃは、図３のＣ方向から見た実施例に係る紙幣格納装置を示す側面図である。
【図４Ｄ】図４Ｄは、図３のＤ方向から見た実施例に係る紙幣格納装置を示す正面図である。
【図４Ｅ】図４Ｅは、図３のＥ方向から見た実施例に係る紙幣格納装置を示す背面図である。
【図５Ａ】図５Ａは、実施例に係る紙幣格納装置の外観（蓋体部を開放した状態）を示す斜視図である。
【図５Ｂ】図５Ｂは、実施例に係る紙幣格納装置の外観（蓋体部を開放した状態）を示す斜視図である。
【図６Ａ】図６Ａは、図５ＡのＡ方向から見た実施例に係る紙幣格納装置（蓋体部を開放した状態）を示す平面図である。
【図６Ｂ−１】図６Ｂ−１は、図５ＡのＢ方向から見た実施例に係る紙幣格納装置（蓋体部を開放した状態）を示す側面図である。
【図６Ｂ−２】図６Ｂ−２は、図６ＡのＩ−Ｉ断面で実施例に係る紙幣格納装置を示す断面図である。
【図６Ｃ】図６Ｃは、図５ＡのＣ方向から見た実施例に係る紙幣格納装置を示す側面図である。
【図６Ｄ】図６Ｄは、図５ＡのＤ方向から見た実施例に係る紙幣格納装置を示す正面図である。
【図７】図７は、実施例に係る紙幣格納装置（蓋体部を開放かつ紙幣収納部の立設部を傾倒した状態）を示す斜視図である。
【図８Ａ】図８Ａは、図７のＡ方向から見た実施例に係る紙幣格納装置（蓋体部を開放かつ紙幣収納部の立設部を傾倒した状態）を示す平面図である。
【図８Ｂ】図８Ｂは、図７のＣ方向から見た実施例に係る紙幣格納装置（蓋体部を開放かつ紙幣収納部の立設部を傾倒した状態）を示す側面図である。
【図８Ｃ】図８Ｃは、図７のＤ方向から見た実施例に係る紙幣格納装置（蓋体部を開放かつ紙幣収納部の立設部を傾倒した状態）を示す正面図である。
【図９】図９は、実施例に係る紙幣格納装置の概略構成を示す模式図である。
【図１０Ａ】図１０Ａは、実施例に係る紙幣格納装置における紙幣送り出しの概略を示す模式図である。
【図１０Ｂ】図１０Ｂは、実施例に係る紙幣格納装置における紙幣送り出しの概略を示す模式図である。
【図１０Ｃ】図１０Ｃは、実施例に係る紙幣格納装置における紙幣送り出しの概略を示す模式図である。
【図１０Ｄ】図１０Ｄは、実施例に係る紙幣格納装置における紙幣送り出しの概略を示す模式図である。
【図１１Ａ】図１１Ａは、実施例に係る紙幣格納装置における紙幣後端押し上げ部の第１態様を示す模式図である。
【図１１Ｂ】図１１Ｂは、実施例に係る紙幣格納装置における紙幣後端押し上げ部の第２態様を示す模式図である。
【図１１Ｃ】図１１Ｃは、実施例に係る紙幣格納装置における紙幣後端押し上げ部の第３態様を示す模式図である。
【図１１Ｄ】図１１Ｄは、実施例に係る紙幣格納装置における紙幣後端押し上げ部の第４態様を示す模式図である。
【図１２Ａ】図１２Ａは、従来技術に係る紙幣格納装置における紙幣送り出しの概略を示す模式図である。
【図１２Ｂ】図１２Ｂは、従来技術に係る紙幣格納装置における紙幣送り出しの概略を示す模式図である。
【図１２Ｃ】図１２Ｃは、従来技術に係る紙幣格納装置における紙幣送り出しの概略を示す模式図である。
【図１２Ｄ】図１２Ｄは、従来技術に係る紙幣格納装置における紙幣送り出しの概略を示す模式図である。
【図１３Ａ】図１３Ａは、実施例に係る紙幣格納装置における紙幣セットの概略を示す模式図である。
【図１３Ｂ】図１３Ｂは、実施例に係る紙幣格納装置における紙幣セットの概略を示す模式図である。
【発明を実施するための形態】
【０００９】
以下に添付図面を参照して本願に係る紙葉類格納装置及び紙葉類取扱装置の実施例について説明する。なお、以下の各実施例は、紙葉類取扱装置としてＡＴＭ（Automatic  Teller  Machine）、紙葉類格納装置としてＡＴＭが有する紙幣カセットを例として説明する。しかし、開示の技術はこれに限定されない。つまり、開示の技術は、サイズが異なる紙葉類を混合して収納可能なカセットへ収納し、カセットを紙葉類取扱装置へセットし、カセットから紙葉類を送り出す紙葉類取扱装置一般に適用できる。
【００１０】
また、実施例の各態様は、矛盾しない範囲で適宜組み合わせることが可能である。また、同一の構成及び処理には同一の符号を付与し、既出の構成及び処理の説明は省略する。なお、実施例における「上」「下」「左」「右」「前」「後」等の位置は、図示における相対的な位置を示す。
【実施例】
【００１１】
（紙幣取扱装置の外観）
図１は、実施例に係る紙幣取扱装置の外観を示す斜視図である。実施例に係る紙幣取扱装置１は、筐体１ａの操作者と向かい合う側に、表示及び操作パネル、通帳挿入口、キャッシュカード挿入口、紙幣投入口３ａ、硬貨投入口、生体認証用の生体情報読取器等を有する。そして、紙幣取扱装置１は、紙幣カセットである紙幣格納装置１０（図２参照）等を紙幣取扱装置１の内部にセットするために紙幣取扱装置１の内部を開放する扉を有する。【００１２】
（紙幣取扱装置の構成）
図２は、実施例に係る紙幣格納装置を含む紙幣取扱装置の概略構成を示す模式図である。図２は、図１に示す紙幣取扱装置１を、図１のＸ方向からみた略断面図である。図２に示すように、実施例に係る紙幣取扱装置１は、筐体内に、紙幣２を入出金する入出金部３、入出金部３に入金された紙幣２を鑑別する鑑別部４、鑑別部４から搬送された紙幣２を一時的に収容する一時収容部５を有する。入出金部３は、紙幣投入口３ａ（図１参照）付近に位置する。また、紙幣取扱装置１は、一時収容部５に収容された紙幣２を還流させる還流部６、出金する紙幣２が収容された紙幣格納装置１０がセットされた出金部７、紙幣２を格納庫９へ格納する格納部８を有する。【００１３】
紙幣格納装置１０は、複数のサイズが異なる異金種の紙幣２を、その平面に積層して収納し、収納した紙幣２を紙幣取扱装置１へ補充するためのカセット（もしくはカートリッジ）である。ここで、サイズが異なるとは、例えば、長さが異なることをいう。紙幣格納装置１０は、紙幣２が収納された状態で、出金部７に収容される。なお、出金部７は、収容部の一例である。紙幣格納装置１０は、収納された紙幣２を順次送り出して、例えば還流部６が有する、図示しないリサイクルカセットへ紙幣２を補充する。実施例では、紙幣格納装置１０が、紙葉類格納装置の一例である。また、実施例では、紙葉類の一例として紙幣２を用いるが、紙幣に限定するものではない。また、実施例では、紙幣格納装置１０は、紙幣の補充用カセットを例として説明するが、紙葉類を収容するその他のカセットであってもよい。【００１４】
（紙幣格納装置について）
図３は、実施例に係る紙幣格納装置を示す斜視図である。図４Ａは、図３のＡ方向から見た実施例に係る紙幣格納装置を示す平面図である。図４Ｂは、図３のＢ方向から見た実施例に係る紙幣格納装置を示す側面図である。図４Ｃは、図３のＣ方向から見た実施例に係る紙幣格納装置を示す側面図である。図４Ｄは、図３のＤ方向から見た実施例に係る紙幣格納装置を示す正面図である。図４Ｅは、図３のＥ方向から見た実施例に係る紙幣格納装置を示す背面図である。以降、各図において共通して、Ａ方向〜Ｅ方向の表記を用いる。なお、紙幣格納装置１０は、Ｅ方向で紙幣取扱装置１の出金部７にセットされる。【００１５】
図３、図４Ａ〜図４Ｅに示すように、紙幣格納装置１０は、略方形であり、本体部１１、蓋体部１２、ヒンジ部１３、紙幣排出口１４、接続部１５を有する。後述するように、蓋体部１２は、ヒンジ部１３を介して本体部１１と接続され、ヒンジ部１３の軸を回転軸として本体部１１に対して半回転する。蓋体部１２は、ヒンジ部１３の軸を回転軸とした図３のＸ１方向への半回転によりヒンジ部１３からヒンジ部１３の最遠部分までが本体部１１と合一することで本体部１１の開放部分を閉蓋して本体部１１とともに略方形をなす。また、蓋体部１２は、ヒンジ部１３の軸を回転軸とした図３のＸ２方向への半回転によりヒンジ部１３からヒンジ部１３の最遠部分までが本体部１１と離反し、開蓋して本体部１１の開放部分を露出させる。【００１６】
また、図４Ａに示すように、蓋体部１２は、Ａ方向側に天板面１２ａを有する。また、図４Ｂに示すように、蓋体部１２は、Ｂ方向側に側板面１２ｂを有する。また、図４Ｃに示すように、蓋体部１２は、Ｃ方向側に側板面１２ｃを有する。また、図４Ｄに示すように、蓋体部１２は、Ｄ方向側に側板面１２ｄを有する。すなわち、蓋体部１２は、天板面１２ａ、側板面１２ｂ〜１２ｄ及びヒンジ部１３により形成される蓋体である。【００１７】
そして、蓋体部１２は、側板面１２ｂ，１２ｄの面積より側板面１２ｃの面積の方が広い。つまり、図４Ｂ及び図４Ｃを比較すると分かるが、側板面１２ｃは、側板面１２ｂと比較して、紙幣格納装置１０の側面を概ね上辺から下辺に至るほとんどの領域を覆蓋する。これは、後述するように、紙幣格納装置１０の本体部１１は、Ｂ方向側よりもＣ方向側がより大きく切り欠いており、蓋体部１２でより広範に覆蓋されるためである。【００１８】
紙幣排出口１４は、紙幣格納装置１０内部にセットされた紙幣を排出する排出口である。詳しくは後述するが、紙幣格納装置１０は、内部に、紙幣排出口１４に近い側からセパレートローラ及びピックローラを有する。紙幣格納装置１０は、紙幣の長手先端付近がピックローラと接触し、紙幣及びピックローラの摩擦でピックローラの回転により紙幣を繰り出す。そして、紙幣格納装置１０は、ピックローラにより繰り出された紙幣がセパレートローラと接触し、紙幣及びセパレートローラの摩擦でセパレートローラの回転により紙幣を紙幣排出口１４から紙幣格納装置１０の外部へ排出する。【００１９】
接続部１５は、紙幣取扱装置１の出金部７に設けられた所定端子と接続され、図示しない紙幣取扱装置１の制御部から紙幣格納装置１０への供給電力及び制御信号、紙幣格納装置１０から紙幣取扱装置１の制御部への応答信号等を媒介する。【００２０】
（蓋体部が開放状態の紙幣格納装置）
図５Ａ及び図５Ｂは、実施例に係る紙幣格納装置の外観（蓋体部を開放した状態）を示す斜視図である。図５Ａは、Ｂ方向から見た、蓋体部１２が開放状態の紙幣格納装置１０である。また、図５Ｂは、Ｃ方向から見た、蓋体部１２が開放状態の紙幣格納装置１０である。【００２１】
図５Ａ及び図５Ｂに示すように、紙幣格納装置１０の本体部１１は、底面に対する立設面として、Ｂ方向側に立設面１１ｂ、Ｃ方向側に立設面１１ｃ、Ｄ方向側に立設面１１ｄ、Ｅ方向側に立設面１１ｅを有する。立設面１１ｃは、立設面１１ｂと比較して、本体部１１の底面付近まで切り欠いている。【００２２】
紙幣格納装置１０は、本体部１１の底面、立設面１１ｂ〜１１ｅで囲まれる空間内に、紙幣収納部１６を有する。紙幣収納部１６は、本体部１１の底面に位置し、紙幣格納装置１０に収納された紙幣又は紙幣束を配置する底面部１６ａ、底面部１６ａの４辺からそれぞれ立設された立設部１６ｂ〜１６ｅを有する。立設部１６ｂは、底面部１６ａのＢ方向側に立設される。立設部１６ｃは、底面部１６ａのＣ方向側に立設される。立設部１６ｄは、底面部１６ａのＤ方向側に立設される。立設部１６ｅは、底面部１６ａのＥ方向側に立設される。【００２３】
詳しくは後述するが、紙幣収納部１６の立設部１６ｃは、紙幣収納部１６の底面部１６ａに立設された立設根元から紙幣格納装置１０の外方へ、立設面１１ｃの切り欠き部１１ｃ−１を跨いで傾倒させることができる。これは、後述する紙幣収納部１６の紙幣収納空間内に紙幣をセットする際に、立設面１１ｃの切り欠き部１１ｃ−１を跨いでＣ方向から横方向へ紙幣をセットするためである。【００２４】
また、立設部１６ｅの上端にヒンジ部１６ｆを介し、ヒンジ部１６ｆの軸を回転軸として半回転可能に、紙幣後端押さえ部１６ｇが取り付けられている。なお、詳しくは後述するが、立設部１６ｅには、立設部１６ｂ〜１６ｅで囲まれる内部へ先端が向き、紙幣の重みで立設部１６ｅにおける高さ位置が変動する紙幣後端押し上げ部１６ｈが取り付けられる。【００２５】
紙幣格納装置１０は、紙幣収納部１６の立設部１６ｂ〜１６ｅで囲まれる紙幣収納空間内に紙幣をセット可能である。紙幣格納装置１０は、紙幣収納空間内にセットされた紙幣を、立設部１６ｂ〜１６ｅの水平方向の位置調節又は弾性力による付勢等により立設部１６ｂ〜１６ｅで紙幣収納空間内の内方へ押さえ込み、紙幣の四辺を揃えるように固定する。例えば、立設部１６ｂ及び１６ｃによる押さえ込みにより、紙幣が短手方向（幅手方向）に揃えられる。また、例えば、立設部１６ｄ及び１６ｅによる押さえ込みにより、紙幣が長手方向に揃えられる。【００２６】
また、紙幣格納装置１０は、紙幣収納空間内にセットされた紙幣を紙幣後端押さえ部１６ｇの上下方向の位置調節又は弾性力による付勢等により紙幣後端押さえ部１６ｇの先端で上方から押さえ込む。【００２７】
図６Ａは、図５ＡのＡ方向から見た実施例に係る紙幣格納装置（蓋体部を開放した状態）を示す平面図である。図６Ａに示すように、立設部１６ｄの上端に、底面部１６ａと平行又は略平行な平面をなす紙幣先端押さえ部１６ｄ−１が取り付けられている。紙幣先端押さえ部１６ｄ−１は、紙幣収納部１６の紙幣収納空間内にセットされた紙幣のＤ方向側の先端辺を押さえる。【００２８】
図６Ｂ−１は、図５ＡのＢ方向から見た実施例に係る紙幣格納装置（蓋体部を開放した状態）を示す側面図である。図６Ｂ−２は、図６ＡのＩ−Ｉ断面で実施例に係る紙幣格納装置を示す断面図である。図６Ｃは、図５ＡのＣ方向から見た実施例に係る紙幣格納装置を示す側面図である。図６Ｄは、図５ＡのＤ方向から見た実施例に係る紙幣格納装置を示す正面図である。【００２９】
図５Ａ〜図６Ｂ−１、図６Ｃ、図６Ｄを参照しつつ、図６Ｂ−２を参照すると、紙幣格納装置１０は、紙幣収納部１６の底面部１６ａと紙幣排出口１４との間に、ピックローラ１７ａ、セパレートローラ１７ｂを有する。ピックローラ１７ａ及びセパレートローラ１７ｂは、紙幣と接触して紙幣を回転により送り出すために十分な摩擦係数を有する回転面が形成されている。また、ピックローラ１７ａ及びセパレートローラ１７ｂは、図示しない駆動伝達ベルトにて同一駆動系をなし、図示しない駆動装置から伝達される駆動力により同一方向へ回転する。【００３０】
紙幣格納装置１０は、紙幣収納部１６の紙幣収納空間内にセットされた紙幣のうち最下層に位置する紙幣の長手先端付近がピックローラ１７ａと接触し、紙幣及びピックローラ１７ａの摩擦でピックローラ１７ａの回転により紙幣を繰り出す。そして、紙幣格納装置１０は、ピックローラ１７ａにより繰り出された紙幣がセパレートローラ１７ｂと接触し、紙幣及びセパレートローラ１７ｂの摩擦でセパレートローラ１７ｂの回転により紙幣を紙幣排出口１４から紙幣格納装置１０の外部へ排出する。【００３１】
図７は、実施例に係る紙幣格納装置（蓋体部を開放かつ紙幣収納部の立設部を傾倒した状態）を示す斜視図である。すなわち、図７は、図５Ｂの図示において、紙幣収納部１６の立設部１６ｃを傾倒した状態を示す。また、図８Ａは、図７のＡ方向から見た実施例に係る紙幣格納装置（蓋体部を開放かつ紙幣収納部の立設部を傾倒した状態）を示す平面図である。また、図８Ｂは、図７のＣ方向から見た実施例に係る紙幣格納装置（蓋体部を開放かつ紙幣収納部の立設部を傾倒した状態）を示す側面図である。また、図８Ｃは、図７のＤ方向から見た実施例に係る紙幣格納装置（蓋体部を開放かつ紙幣収納部の立設部を傾倒した状態）を示す正面図である。【００３２】
図７〜図８Ｃに示すように、紙幣収納部１６の立設部１６ｃは、紙幣収納部１６の底面部１６ａに立設された立設根元から紙幣格納装置１０の外方へ、立設面１１ｃの切り欠き部１１ｃ−１を跨いで傾倒させることができる。これは、後述する紙幣収納部１６の紙幣収納空間内に紙幣をセットする際に、立設面１１ｃの切り欠き部１１ｃ−１を跨いでＣ方向から横方向へ紙幣をセットでき、紙幣のセットを容易に行うことができる。【００３３】
（実施例に係る紙幣送り出し）
図９は、実施例に係る紙幣格納装置の概略構成を示す模式図である。図９は、図３〜図８Ｃに示す紙幣格納装置１０について、Ｃ方向から見た紙幣送り出しに係る概略構成を図示する。図９に示すように、紙幣格納装置１０は、紙幣送り出しに係る構成として、底面部１６ａ、紙幣先端押さえ部１６ｄ−１、立設部１６ｅ、ヒンジ部１６ｆ、紙幣後端押さえ部１６ｇ、紙幣後端押し上げ部１６ｈを含む紙幣収納部１６を有する。また、紙幣格納装置１０は、紙幣送り出しに係る構成として、紙幣排出口１４、ピックローラ１７ａ、セパレートローラ１７ｂを有する。以後、紙幣送り出しの説明に関して、その他の構成を省略する。【００３４】
なお、紙幣先端押さえ部１６ｄ−１は、図９に示すように、セットされる紙幣の数に応じて、底面部１６ａに対する垂直方向の上下方向に可動である。また、図９に示すように、紙幣後端押さえ部１６ｇは、セットされる紙幣の数に応じて、ヒンジ部１６ｆの軸を回転軸として、矢印の両方向に半回転可能である。【００３５】
図１０Ａ〜図１０Ｄは、実施例に係る紙幣格納装置における紙幣送り出しの概略を示す模式図である。なお、図１０Ａ〜図１０Ｄでは、紙幣後端押し上げ部１６ｈの形状の図示を簡略化している。【００３６】
先ず、図１０Ａでは、紙幣束ｗ１〜ｗ３がこの順序で、底面部１６ａに、下から積み上げられて紙幣格納装置１０へセットされている。各紙幣束ｗ１〜ｗ３は、それぞれ同一サイズの同一券種の紙幣を含む。図１０Ａに示す例では、各紙幣束ｗ１〜ｗ３に含まれる紙幣の各サイズ（例えば長手方向のサイズ）の大小関係は、紙幣束ｗ１＞紙幣束ｗ２＞紙幣束ｗ３である。【００３７】
図１０Ａに示すように、最上層の紙幣束ｗ３は、上方から紙幣先端押さえ部１６ｄ−１及び紙幣後端押さえ部１６ｇにより押さえられている。また、紙幣束ｗ１〜ｗ３は、長手方向の後端部が立設部１６ｅに対して概ね揃っている。また、紙幣束ｗ１〜ｗ３は、長手方向の後端部が、紙幣後端押し上げ部１６ｈにより、底面部１６ａから持ち上げられている。つまり、紙幣束ｗ１〜ｗ３は、長手方向の後端部が、紙幣後端押し上げ部１６ｈにより、底面部１６ａから離れた位置で支持されている。このとき、紙幣後端押し上げ部１６ｈは、紙幣束ｗ１〜ｗ３の重みにより、底面部１６ａ側へ最も押し下げられている。【００３８】
そして、ピックローラ１７ａ及びセパレートローラ１７ｂにより、紙幣束ｗ１の紙幣が順次送り出されて、図１０Ｂに示すように、紙幣束ｗ１に含まれる紙幣の数が減少する。そして、紙幣束ｗ１の紙幣が順次送り出されるにつれて、紙幣先端押さえ部１６ｄ−１が紙幣束ｗ１〜ｗ３を押さえる高さ位置が下降する。また、紙幣束ｗ１の紙幣が順次送り出されて紙幣排出口１４から排出されるにつれて、紙幣後端押し上げ部１６ｈによる傾斜により、紙幣束ｗ１〜ｗ３が徐々に紙幣排出口１４側へ移動する。【００３９】
さらに、図１０Ｃに示すように、ピックローラ１７ａ及びセパレートローラ１７ｂにより、紙幣束ｗ１に含まれる紙幣が順次送り出されて無くなり、次に紙幣束ｗ２に含まれる紙幣が順次送り出されて数が減少する。そして、紙幣束ｗ２の紙幣が順次送り出されるにつれて、紙幣先端押さえ部１６ｄ−１が紙幣束ｗ２〜ｗ３を押さえる高さ位置が下降する。また、紙幣束ｗ２の紙幣が順次送り出されて紙幣排出口１４から排出されるにつれて、紙幣後端押し上げ部１６ｈによる傾斜により、紙幣束ｗ２〜ｗ３が徐々に紙幣排出口１４側へ移動する。【００４０】
このとき、図１０Ａ〜図１０Ｂでは、紙幣束ｗ３の先端から底面部１６ａへ下ろした垂線の足が、それぞれ位置ｐ１，ｐ２であり、ピックローラ１７ａの繰り出し可能位置には至っていない。しかし、図１０Ｃでは、紙幣束ｗ３が紙幣排出口１４側へ移動したことにより、紙幣束ｗ３の先端から底面部１６ａへ下ろした垂線の足が位置ｐ３となり、ピックローラ１７ａの繰り出し可能位置に至っている。【００４１】
よって、図１０Ｄに示すように、紙幣束ｗ３は、ピックローラ１７ａにより繰り出される際に、先端部分がピックローラ１７ａの繰り出し可能位置に存在するようになる。このため、紙幣束ｗ３に含まれる紙幣が、ピックローラ１７ａ及びセパレートローラ１７ｂにより送り出され、紙幣排出口１４から排出されることとなる。【００４２】
なお、紙幣格納装置１０へセットされる紙幣は、紙幣束単位で積み上げて紙幣格納装置１０へセットされたものであってもよいし、紙幣単位で積み上げて紙幣格納装置１０へセットされたものであってもよい。【００４３】
（紙幣後端押し上げ部の例）
図１１Ａは、実施例に係る紙幣格納装置における紙幣後端押し上げ部の第１態様を示す模式図である。紙幣後端押し上げ部の第１態様は、上述の紙幣後端押し上げ部１６ｈである。紙幣後端押し上げ部１６ｈは、図示しない弾性体を含み、紙幣数に応じて、図１１Ａに示す矢印方向へ移動する、例えばステージである。すなわち、紙幣後端押し上げ部１６ｈは、紙幣数が多く、その重みが大きいときには、自重及び紙幣の重みによる弾性体の圧縮により、図１１Ａに示すＡ１方向へ移動する。一方、紙幣後端押し上げ部１６ｈは、紙幣数が減少し、その重みが小さくなったときには、弾性体の弾性力により、図１１Ａに示すＡ２方向へ移動する。【００４４】
つまり、紙幣後端押し上げ部１６ｈは、自重及び紙幣の重みに応じた弾性体の弾性変形に基づく付勢により、紙幣又は紙幣束の後端部分周辺を、底面部１６ａから離して支持する。このようにして、紙幣後端押し上げ部１６ｈは、紙幣又は紙幣束の長手方向の後端部を底面部１６ａから持ち上げる。紙幣後端押し上げ部１６ｈは、積層された紙幣を最下層から持ち上げるので、より下層に位置する紙幣から、ピックローラ１７ａ及びセパレートローラ１７ｂ側へ移動させることができる。【００４５】
図１１Ｂは、実施例に係る紙幣格納装置における紙幣後端押し上げ部の第２態様を示す模式図である。紙幣後端押し上げ部の第２態様は、上述の紙幣後端押し上げ部１６ｈに代わる紙幣後端押し上げ部１６ｈ−２である。紙幣後端押し上げ部１６ｈ−２は、図示しない弾性体を含み、軸ｒ２を回転軸として、紙幣後端押し上げ部１６ｈ−２が図１１Ｂに示す矢印方向へ半回転することにより、紙幣又は紙幣束の長手方向の後端部を底面部１６ａから持ち上げる、例えばフラップである。紙幣後端押し上げ部１６ｈ−２は、紙幣数に応じて、図１１Ｂに示す矢印方向へ移動する。【００４６】
すなわち、紙幣後端押し上げ部１６ｈ−２は、紙幣数が多く、その重みが大きいときには、自重及び紙幣の重みによる弾性体の圧縮により、図１１Ｂに示すＢ１方向へ移動する。一方、紙幣後端押し上げ部１６ｈ−２は、紙幣数が減少し、その重みが小さくなったときには、弾性体の弾性力により、図１１Ｂに示すＢ２方向へ移動する。つまり、紙幣後端押し上げ部１６ｈ−２は、自重及び紙幣の重みによる弾性体の弾性変形による付勢により、紙幣又は紙幣束の後端部分周辺を、底面部１６ａから離して支持する。【００４７】
なお、図１１Ｂでは、軸ｒ２は、紙幣後端押し上げ部１６ｈ−２の立設部１６ｅから最も離れた位置に設けられるが、これに限らず、紙幣後端押し上げ部１６ｈ−２の立設部１６ｅから最も近い位置に設けられてもよい。【００４８】
図１１Ｃは、実施例に係る紙幣格納装置における紙幣後端押し上げ部の第３態様を示す模式図である。紙幣後端押し上げ部の第３態様は、上述の紙幣後端押し上げ部１６ｈに代わる紙幣後端押し上げ部１６ｈ−３である。紙幣後端押し上げ部１６ｈ−３は、弾性体を含み、軸ｒ３を回転軸として、紙幣後端押し上げ部１６ｈ−３が図１１Ｃに示す矢印方向へ半回転することにより、紙幣又は紙幣束の長手方向の後端部を底面部１６ａから持ち上げる、例えばフラップである。紙幣後端押し上げ部１６ｈ−３は、紙幣数に応じて、図１１Ｃに示す矢印方向へ移動する。【００４９】
すなわち、紙幣後端押し上げ部１６ｈ−３は、紙幣数が多く、その重みが大きいときには、自重及び紙幣の重みによる弾性体の圧縮等により、図１１Ｃに示すＣ１方向へ移動する。一方、紙幣後端押し上げ部１６ｈ−３は、紙幣数が減少し、その重みが小さくなったときには、弾性体の弾性力により、図１１Ｃに示すＣ２方向へ移動する。つまり、紙幣後端押し上げ部１６ｈ−３は、自重及び紙幣の重みによる弾性体の弾性変形による付勢により、紙幣又は紙幣束の後端部分周辺を、底面部１６ａから離して支持する。【００５０】
図１１Ｄは、実施例に係る紙幣格納装置における紙幣後端押し上げ部の第４態様を示す模式図である。紙幣後端押し上げ部の第４態様は、上述の紙幣後端押し上げ部１６ｈに代わる紙幣後端押し上げ部１６ｈ−４である。紙幣後端押し上げ部１６ｈ−４は、上述の紙幣後端押し上げ部１６ｈ−２及び紙幣後端押し上げ部１６ｈ−３の組合せにより、紙幣又は紙幣束の長手方向の後端部を底面部１６ａから持ち上げる。つまり、紙幣後端押し上げ部１６ｈ−４は、自重及び紙幣の重みに応じた弾性体の弾性変形に基づく付勢により、紙幣又は紙幣束の後端部分周辺を、底面部１６ａから離して支持する。【００５１】
上述の紙幣後端押し上げ部１６ｈ〜１６ｈ−４に対して弾性変形に基づく付勢を与える弾性体は、目的を達成可能ないずれの箇所に設けられてもよい。例えば、バネが、紙幣後端押し上げ部１６ｈと底面部１６ａとの間、紙幣後端押し上げ部１６ｈ−２と底面部１６ａとの間、紙幣後端押し上げ部１６ｈ−３と立設部１６ｅとの間に設けられてもよい。あるいは、例えば、バネが、軸ｒ２、軸ｒ３に設けられてもよい。しかし、弾性体及びその配置位置は、これらに限定されるものではない。【００５２】
なお、図１２Ａ〜図１２Ｄに示す、従来技術に係る紙幣格納装置１００の紙幣送り出しでは、紙幣束ｗ１〜ｗ３は、紙幣束ｗ１〜ｗ２に含まれる紙幣が、ピックローラ１７ａ及びセパレートローラ１７ｂにより順次送り出され紙幣排出口１４から排出される。この場合でも、図１２Ａ〜図１２Ｄに示すように、紙幣格納装置１００では、紙幣束ｗ３の先端から底面部１６ａへ下ろした垂線の足が、位置ｐ１のままで変化がない。よって、図１２Ｄに示すように、紙幣束ｗ３に含まれる紙幣を繰り出そうとしても、ピックローラ１７ａの繰り出し可能位置に至っていないため、繰り出すことができない。【００５３】
すなわち、図１０Ａ〜図１０Ｄと、図１２Ａ〜図１２Ｄとの比較から分かるとおり、実施例は、紙幣後端押し上げ部１６ｈ〜１６ｈ−４のいずれかを設けたことにより、次のような効果を奏する。すなわち、異なるサイズの異金種の紙幣が紙幣格納装置１０へ格納されていた際に相対的に小サイズの紙幣をピックアップする場合に、紙幣がピックローラ１７ａに掛からないという不都合を回避する。また、相対的に小サイズの紙幣上に相対的に大サイズの紙幣が存在する場合、小サイズの紙幣をピックローラ１７ａによりピックアップする際に大サイズの紙幣が重送され、サイズ差により大サイズの紙幣がセパレートローラ１７ｂに先着する不都合を回避する。つまり、上述の実施例では、これらの要因等により、紙幣格納装置１０を含む紙幣取扱装置１において、紙幣の繰り出し又は送り出しの際に、一定間隔で、スムーズに安定して紙幣を繰り出す又は送り出すことができ、紙幣のジャムの発生を低減することができる。【００５４】
また、紙幣後端押し上げ部１６ｈ〜１６ｈ−４は、紙幣数が多く、その重みが大きいときには、自重及び紙幣の重みによる弾性体の圧縮により紙幣後端押し上げ部１６ｈ〜１６ｈ−４が押し下がる方向へ移動することにより、より多くの紙幣を収納できる。また、紙幣後端押し上げ部１６ｈ〜１６ｈ−４は、紙幣数が少なく、その重みが小さいときには、弾性体の弾性力により紙幣後端押し上げ部１６ｈ〜１６ｈ−４が押し上がる方向へ移動することにより、紙幣の繰り出し又は送り出しの精度を高めることができる。なお、紙幣格納装置１０に同一サイズの同金種の紙幣が収納される場合であっても、同様の効果が期待できる。【００５５】
なお、一定間隔かつ安定して紙幣を繰り出す又は送り出すということができるという効果は、ピックローラ１７ａがセパレートローラ１７ｂの機能を兼ねる場合も同様である。すなわち、ピックローラ１７ａにより紙幣をピックアップし、ピックアップした紙幣をピックローラ１７ａにより紙幣排出口１４から送り出す構成の場合も、同様の効果を奏する。【００５６】
（紙幣セットの概略）
図１３Ａ及び図１３Ｂは、実施例に係る紙幣格納装置における紙幣セットの概略を示す図である。図１３Ａに示すように、紙幣格納装置１０において、紙幣収納部１６の立設部１６ｃは、図示の矢印の方向へ倒すことができる。そして、図１３Ｂに示すように、紙幣格納装置１０は、紙幣収納部１６の立設部１６ｃを倒した状態で、紙幣又は紙幣束ｗを、図示のＣ方向からセットできる。なお、紙幣収納部１６への紙幣又は紙幣束ｗのセットが終了すると、立設部１６ｃは、元の状態へ戻され、本体部１１が蓋体部１２により閉蓋される。【００５７】
すなわち、既に述べたとおり、紙幣収納部１６の立設部１６ｃは、紙幣収納部１６の底面部１６ａに立設された立設根元から紙幣格納装置１０の外方へ、立設面１１ｃの切り欠き部１１ｃ−１を跨いで傾倒させることができる。これにより、紙幣収納部１６の紙幣収納空間内に紙幣又は紙幣束ｗをセットする際、立設面１１ｃの切り欠き部１１ｃ−１を跨いでＣ方向から横方向へ紙幣を容易にセットできるため、紙幣格納装置１０への紙幣補充の作業負荷軽減を図ることができる。また、容易に紙幣をセットできることから、セットされた紙幣の不揃いを低減し、その結果、紙幣の繰り出しの際のジャムの発生を低減できる。【００５８】
以上の実施例を含む実施の形態に関し、さらに以下の付記を開示する。【００５９】
（付記１）切り欠き部を有する本体部と、
前記本体部を閉蓋する蓋体部と、
前記本体部内に設けられ、所定面に立設された立設面により形成される収納領域に紙葉類を収納する収納部と
を備え、
前記本体部を開蓋した際に、前記立設面のうち前記切り欠き部に最も近い位置に立設された所定立設面が、前記切り欠き部を跨いで前記本体部の外方へ傾倒可能であり、
前記収納部は、前記所定立設面が傾倒された状態で、前記切り欠き部から前記収納領域へ紙葉類を収納可能である
ことを特徴とする紙葉類格納装置。【００６０】
（付記２）前記蓋体部は、前記本体部を閉蓋した際に前記切り欠き部を覆蓋する覆蓋部を有する
ことを特徴とする付記１に記載の紙葉類格納装置。【００６１】
実施例で例示した各部の構成は、開示の技術に係る紙葉類格納装置及び紙葉類取扱装置の技術範囲を逸脱しない程度に変更又は省略可能である。また、実施例は例示に過ぎず、発明の開示の欄に記載の態様を始めとして、当業者の知識に基づいて種々の変形、改良を施した他の態様も、開示の技術に含まれる。
【符号の説明】
【００６２】
１  紙幣取扱装置
１ａ  筐体
２  紙幣
３  入出金部
３ａ  紙幣投入口
４  鑑別部
５  一時収容部
６  還流部
７  出金部（収容部）
８  格納部
９  格納庫
１０，１００  紙幣格納装置
１１  本体部
１１ｂ，１１ｃ，１１ｄ，１１ｅ  立設面
１１ｃ−１  切り欠き部
１２  蓋体部
１２ａ  天板面
１２ｂ，１２ｃ，１２ｄ  側板面
１３  ヒンジ部
１４  紙幣排出口
１５  接続部
１６  紙幣収納部
１６ａ  底面部
１６ｂ，１６ｃ，１６ｄ，１６ｅ  立設部
１６ｄ−１  紙幣先端押さえ部
１６ｆ  ヒンジ部
１６ｇ  紙幣後端押さえ部
１６ｈ，１６ｈ−２，１６ｈ−３，１６ｈ−４  紙幣後端押し上げ部
１７ａ  ピックローラ
１７ｂ  セパレートローラ
【図１】
2017104082.tif 000003
【図２】
2017104082.tif 000004
【図３】
2017104082.tif 000005
【図４Ａ】
2017104082.tif 000006
【図４Ｂ】
2017104082.tif 000007
【図４Ｃ】
2017104082.tif 000008
【図４Ｄ】
2017104082.tif 000009
【図４Ｅ】
2017104082.tif 000010
【図５Ａ】
2017104082.tif 000011
【図５Ｂ】
2017104082.tif 000012
【図６Ａ】
2017104082.tif 000013
【図６Ｂ−１】
2017104082.tif 000014
【図６Ｂ−２】
2017104082.tif 000015
【図６Ｃ】
2017104082.tif 000016
【図６Ｄ】
2017104082.tif 000017
【図７】
2017104082.tif 000018
【図８Ａ】
2017104082.tif 000019
【図８Ｂ】
2017104082.tif 000020
【図８Ｃ】
2017104082.tif 000021
【図９】
2017104082.tif 000022
【図１０Ａ】
2017104082.tif 000023
【図１０Ｂ】
2017104082.tif 000024
【図１０Ｃ】
2017104082.tif 000025
【図１０Ｄ】
2017104082.tif 000026
【図１１Ａ】
2017104082.tif 000027
【図１１Ｂ】
2017104082.tif 000028
【図１１Ｃ】
2017104082.tif 000029
【図１１Ｄ】
2017104082.tif 000030
【図１２Ａ】
2017104082.tif 000031
【図１２Ｂ】
2017104082.tif 000032
【図１２Ｃ】
2017104082.tif 000033
【図１２Ｄ】
2017104082.tif 000034
【図１３Ａ】
2017104082.tif 000035
【図１３Ｂ】
2017104082.tif 000036
【国際調査報告】
2017104082.tif 000037
2017104082.tif 000038
2017104082.tif 000039
2017104082.tif 000040